(57)【要約】【課題】ＥＳＬの増加を抑えつつ、ＥＳＲを大きくすることが可能な積層コンデンサを提供すること。【解決手段】第１の内部電極対３１は、第１及び第２の内部電極３３，３５を含む。第１の内部電極３３は、主電極部分３３ａと、主電極部分３３ａの第１の端面４側の端部から第１の側面６に伸びる引き出し部分３３ｂとを含む。第２の内部電極３５は、主電極部分３５ａと、主電極部分３５ａの第１の端面４側の端部から第２の側面７に伸びる引き出し部分３５ｂとを含む。第２の内部電極対４１は、第３及び第４の内部電極４３，４５を含む。第３の内部電極４３は、主電極部分４３ａと、主電極部分４３ａの第２の端面５側の端部から第１の側面６に伸びる引き出し部分４３ｂとを含む。第４の内部電極４５は、主電極部分４５ａと、主電極部分４５ａの第２の端面５側の端部から第２の側面７に伸びる引き出し部分４５ｂとを含む。【選択図】図２
2007317786.tif 000002
【特許請求の範囲】
【請求項１】
互いに対向する長方形状の第１及び第２の主面と、前記第１及び第２の主面間を連結するように前記第１及び第２の主面の長辺方向に伸び且つ互いに対向する第１及び第２の側面と、前記第１及び第２の主面間を連結するように前記第１及び第２の主面の短辺方向に伸び且つ互いに対向する第１及び第２の端面とを有する直方体状のコンデンサ素体と、
前記第１の側面に配置される第１の端子電極と、
前記第２の側面に配置される第２の端子電極と、を備え、
前記コンデンサ素体が、前記第１及び第２の主面の対向方向に積層された複数の絶縁体層と、複数の前記絶縁体層のうち少なくとも一つの絶縁体層を挟んで対向するように配置される第１及び第２の内部電極を含む第１の内部電極対と、複数の前記絶縁体層のうち少なくとも一つの絶縁体層を挟んで対向するように配置される第３及び第４の内部電極を含む第２の内部電極対と、を有し、
前記第１の内部電極が、前記第１及び第２の主面の長辺方向を長辺方向とする主電極部分と、該主電極部分の前記第１の端面側の端部から前記第１の側面に向けて伸びると共に前記第１の端子電極に接続される引き出し部分と、を含み、
前記第２の内部電極が、前記第１及び第２の主面の長辺方向を長辺方向とする主電極部分と、該主電極部分の前記第１の端面側の端部から前記第２の側面に向けて伸びると共に前記第２の端子電極に接続される引き出し部分と、を含み、
前記第３の内部電極が、前記第１及び第２の主面の長辺方向を長辺方向とする主電極部分と、該主電極部分の前記第２の端面側の端部から前記第１の側面に向けて伸びると共に前記第１の端子電極に接続される引き出し部分と、を含み、
前記第４の内部電極が、前記第１及び第２の主面の長辺方向を長辺方向とする主電極部分と、該主電極部分の前記第２の端面側の端部から前記第２の側面に向けて伸びると共に前記第２の端子電極に接続される引き出し部分と、を含むことを特徴とする積層コンデンサ。
【請求項２】
前記コンデンサ素体が、複数の前記絶縁体層のうち少なくとも一つの絶縁体層を挟んで対向するように配置される第５及び第６の内部電極を含む第３の内部電極対を更に有し、
前記第５の内部電極が、前記第１及び第２の主面の長辺方向を長辺方向とする主電極部分と、該主電極部分の長辺方向の中央部から前記第１の側面に向けて伸びると共に前記第１の端子電極に接続される引き出し部分と、を含み、
前記第６の内部電極が、前記第１及び第２の主面の長辺方向を長辺方向とする主電極部分と、該主電極部分の長辺方向の中央部から前記第２の側面に向けて伸びると共に前記第１の端子電極に接続される引き出し部分と、を含むことを特徴とする請求項１に記載の積層コンデンサ。
【発明の詳細な説明】
【技術分野】
【０００１】
本発明は、積層コンデンサに関する。
【背景技術】
【０００２】
この種の積層コンデンサとして、互いに対向する長方形状の一対の主面と、一対の主面間を連結するように一対の主面の長辺方向に伸び且つ互いに対向する一対の側面と、一対の主面間を連結するように一対の主面の短辺方向に伸び且つ互いに対向する一対の端面とを有する直方体状のコンデンサ素体と、一対の側面にそれぞれ配置される複数の端子電極と、を備え、コンデンサ素体が、一対の主面の対向方向に積層された複数の絶縁体層と、複数の絶縁体層のうち少なくとも一つの絶縁体層を挟んで対向するように交互に配置されると共に対応する端子電極に接続される複数の内部電極と、を有するものが知られている（例えば、特許文献１参照）。特許文献１に記載された積層コンデンサでは、一対の側面にそれぞれ配置される端子電極の間隔が短いことから、該積層コンデンサにおける電流経路が比較的短くなり、等価直列インダクタンス（ＥＳＬ）を小さくすることが可能となる。
【特許文献１】特開平９−１４８１７４号公報
【発明の開示】
【発明が解決しようとする課題】
【０００３】
ところで、積層コンデンサにあっては、その用途により、等価直列抵抗（ＥＳＲ）を大きくしたいという更なる要求がある。例えば、積層コンデンサをデカップリングコンデンサとして用いる場合には、以下のような要求がある。デジタル電子機器に搭載されている中央処理装置（ＣＰＵ）に供給用の電源においては低電圧化が進む一方で負荷電流は増大している。従って、負荷電流の急激な変化に対して電源電圧の変動を許容値内に抑えることが非常に困難になったため、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。近年、ＣＰＵの動作周波数の更なる高周波数化に伴って、負荷電流は高速でより大きなものとなっており、デカップリングコンデンサに用いられる積層コンデンサには、大容量化と共にＥＳＲを大きくしたいという要求がある。
【０００４】
しかしながら、特許文献１に記載された積層コンデンサでは、長方形状を呈している内部電極の長辺が端子電極と接続されているため、ＥＳＲが小さい。このため、特許文献１に記載された積層コンデンサでは、ＥＳＲを大きくしたいという上記要求を満たすことができない。
【０００５】
本発明は、ＥＳＬの増加を抑えつつ、ＥＳＲを大きくすることが可能な積層コンデンサを提供することを課題とする。
【課題を解決するための手段】
【０００６】
本発明に係る積層コンデンサは、互いに対向する長方形状の第１及び第２の主面と、第１及び第２の主面間を連結するように第１及び第２の主面の長辺方向に伸び且つ互いに対向する第１及び第２の側面と、第１及び第２の主面間を連結するように第１及び第２の主面の短辺方向に伸び且つ互いに対向する第１及び第２の端面とを有する直方体状のコンデンサ素体と、第１の側面に配置される第１の端子電極と、第２の側面に配置される第２の端子電極と、を備え、コンデンサ素体が、第１及び第２の主面の対向方向に積層された複数の絶縁体層と、複数の絶縁体層のうち少なくとも一つの絶縁体層を挟んで対向するように配置される第１及び第２の内部電極を含む第１の内部電極対と、複数の絶縁体層のうち少なくとも一つの絶縁体層を挟んで対向するように配置される第３及び第４の内部電極を含む第２の内部電極対と、を有し、第１の内部電極が、第１及び第２の主面の長辺方向を長辺方向とする主電極部分と、該主電極部分の第１の端面側の端部から第１の側面に向けて伸びると共に第１の端子電極に接続される引き出し部分と、を含み、第２の内部電極が、第１及び第２の主面の長辺方向を長辺方向とする主電極部分と、該主電極部分の第１の端面側の端部から第２の側面に向けて伸びると共に第２の端子電極に接続される引き出し部分と、を含み、第３の内部電極が、第１及び第２の主面の長辺方向を長辺方向とする主電極部分と、該主電極部分の第２の端面側の端部から第１の側面に向けて伸びると共に第１の端子電極に接続される引き出し部分と、を含み、第４の内部電極が、第１及び第２の主面の長辺方向を長辺方向とする主電極部分と、該主電極部分の第２の端面側の端部から第２の側面に向けて伸びると共に第２の端子電極に接続される引き出し部分と、を含むことを特徴とする。
【０００７】
本発明に係る積層コンデンサでは、第１〜第４の内部電極が、主電極部分の端部からそれぞれ伸びる引き出し部分を含んでいるので、各内部電極の電流経路上において該経路の幅が絞られる箇所が形成されることとなり、ＥＳＲが増加する。
【０００８】
本発明に係る積層コンデンサでは、各内部電極において、引き出し部分を通して主電極部分に電流が流れることとなり、ＥＳＬが増加することとなるが、以下の事象により、その増加を抑制することができる。
【０００９】
第１の内部電極の引き出し部分が主電極部分の第１の端面側の端部から伸び、第２の内部電極の引き出し部分が主電極部分の第１の端面側の端部から伸びているので、第１の内部電極の主電極部分と第２の内部電極の主電極部分とを電流が互いに逆向きに流れることとなる。この結果、第１の内部電極と第２の内部電極とにおいて、電流に起因して発生する磁界が相殺され、積層コンデンサのＥＳＬを低くすることができる。
【００１０】
また、第３の内部電極の引き出し部分が主電極部分の第２の端面側の端部から伸び、第４の内部電極の引き出し部分が主電極部分の第２の端面側の端部から伸びているので、第３の内部電極の主電極部分と第４の内部電極の主電極部分とを電流が互いに逆向きに流れることとなる。この結果、第３の内部電極と第４の内部電極とにおいて、電流に起因して発生する磁界が相殺され、積層コンデンサのＥＳＬを低くすることができる。
【００１１】
更に、積層コンデンサ全体では、見かけ上、第１の端面側に位置する引き出し部分と各端子電極との接続箇所間に挿入されるインダクタ成分と、第２の端面側に位置する引き出し部分と各端子電極との接続箇所間に挿入されるインダクタ成分とが並列接続されることとなる。これによっても、積層コンデンサのＥＳＬを低くすることができる。
【００１２】
好ましくは、コンデンサ素体が、複数の絶縁体層のうち少なくとも一つの絶縁体層を挟んで対向するように配置される第５及び第６の内部電極を含む第３の内部電極対を更に有し、第５の内部電極が、第１及び第２の主面の長辺方向を長辺方向とする主電極部分と、該主電極部分の長辺方向の中央部から第１の側面に向けて伸びると共に第１の端子電極に接続される引き出し部分と、を含み、第６の内部電極が、第１及び第２の主面の長辺方向を長辺方向とする主電極部分と、該主電極部分の長辺方向の中央部から第２の側面に向けて伸びると共に第１の端子電極に接続される引き出し部分と、を含む。この場合、主電極部分の長辺方向の中央部に位置する引き出し部分と各端子電極との接続箇所間に挿入されるインダクタ成分が更に並列接続されることとなる。この結果、積層コンデンサのＥＳＬをより一層低くすることができる。
【発明の効果】
【００１３】
本発明によれば、ＥＳＬの増加を抑えつつ、ＥＳＲを大きくすることが可能な積層コンデンサを提供することができる。
【発明を実施するための最良の形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
まず、図１〜図３に基づいて、本実施形態に係る積層コンデンサＣの構成について説明する。図１は、本実施形態に係る積層コンデンサの斜視図である。図２は、本実施形態に係る積層コンデンサに含まれるコンデンサ素体の分解斜視図である。図３は、本実施形態に係る積層コンデンサの断面構成を説明するための模式図である。
【００１６】
積層コンデンサＣは、図１に示すように、直方体状をしたコンデンサ素体１と、コンデンサ素体１の外表面に配置された第１の端子電極１１及び第２の端子電極１３とを備える。コンデンサ素体１は、相対向する長方形状の第１の主面２及び第２の主面３と、相対向する第１の端面４及び第２の端面５と、相対向する第１の側面６及び第２の側面７とを含んでいる。第１及び第２の端面４，５は、第１及び第２の主面２，３間を連結するように第１及び第２の主面２，３の短辺方向に伸びている。第１及び第２の側面６，７は、第１及び第２の主面２，３間を連結するように第１及び第２の主面２，３の長辺方向に伸びている。
【００１７】
コンデンサ素体１の第１の側面６には、第１の端子電極１１が配置されている。第１の端子電極１１は、第１の側面６を覆うように、第１及び第２の主面２，３並びに第１及び第２の端面４，５に渡って形成されている。コンデンサ素体１の第２の側面７には、第２の端子電極１３が配置されている。第２の端子電極１３は、第２の側面７を覆うように、第１及び第２の主面２，３並びに第１及び第２の端面４，５に渡って形成されている。第１及び第２の端子電極１１，１３は、例えば、導電性金属粉末及びガラスフリットを含む導電性ペーストをコンデンサ素体１の対応する外表面の付与し、焼き付けることによって形成される。必要に応じて、焼き付けられた電極の上にめっき層が形成されることもある。
【００１８】
コンデンサ素体１は、図２及び図３に示されるように、複数の絶縁体層２１と、複数の第１の内部電極対３１と、複数の第２の内部電極対４１とを有している。各絶縁体層２１は、第１及び第２の主面２，３に平行な方向に伸びており、第１及び第２の主面２，３の対向方向に積層されている。各絶縁体層２１は、たとえば誘電体セラミックを含むセラミックグリーンシートの焼結体から構成される。実際の積層コンデンサＣでは、各絶縁体層２１は、絶縁体層２１の間の境界が視認できない程度に一体化されている。第１の内部電極対３１と第２の内部電極対４１とは、コンデンサ素体１において、絶縁体層２１の積層方向、すなわち第１及び第２の主面２，３の対向方向に交互に配置されている。
【００１９】
第１の内部電極対３１は、少なくとも一つの絶縁体層２１を挟んで対向するように配置される第１の内部電極３３と第２の内部電極３５とを含んでいる。
【００２０】
第１の内部電極３３は、主電極部分３３ａと、引き出し部分３３ｂとを含んでいる。主電極部分３３ａは、長方形状を呈しており、第１及び第２の主面２，３の長辺方向を長辺方向としている。引き出し部分３３ｂは、主電極部分３３ａの第１の端面４側の端部から第１の側面６に向けて伸びており、第１の側面６まで引き出されている。引き出し部分３３ｂは、第１の端子電極１１に電気的且つ物理的に接続されている。これにより、第１の内部電極３３は、第１の端子電極１１に電気的に接続されることとなる。引き出し部分３３ｂの幅（主電極部分３３ａの長辺方向での長さ、すなわち第１及び第２の端面４，５の対向方向での長さ）は、主電極部分３３ａの長辺の長さよりも小さい。第１の内部電極３３は、導電性ペーストの焼結体から構成される。
【００２１】
第２の内部電極３５は、主電極部分３５ａと、引き出し部分３５ｂとを含んでいる。主電極部分３５ａは、長方形状を呈しており、第１及び第２の主面２，３の長辺方向を長辺方向としている。引き出し部分３５ｂは、主電極部分３５ａの第１の端面４側の端部から第２の側面７に向けて伸びており、第２の側面７まで引き出されている。引き出し部分３５ｂは、第２の端子電極１３に電気的且つ物理的に接続されている。これにより、第２の内部電極３５は、第２の端子電極１３に電気的に接続されることとなる。引き出し部分３５ｂの幅（主電極部分３５ａの長辺方向での長さ、すなわち第１及び第２の端面４，５の対向方向での長さ）は、主電極部分３５ａの長辺の長さよりも小さい。第２の内部電極３５は、導電性ペーストの焼結体から構成される。
【００２２】
第１の内部電極３３の主電極部分３３ａと第２の内部電極３５の主電極部分３５ａとは、絶縁体層２１を挟んで対向している。これにより、所定の容量成分が生じることとなる。
【００２３】
第２の内部電極対４１は、少なくとも一つの絶縁体層２１を挟んで対向するように配置される第３の内部電極４３と第４の内部電極４５とを含んでいる。
【００２４】
第３の内部電極４３は、主電極部分４３ａと、引き出し部分４３ｂとを含んでいる。主電極部分４３ａは、長方形状を呈しており、第１及び第２の主面２，３の長辺方向を長辺方向としている。引き出し部分４３ｂは、主電極部分４３ａの第２の端面５側の端部から第１の側面６に向けて伸びており、第１の側面６まで引き出されている。引き出し部分４３ｂは、第１の端子電極１１に電気的且つ物理的に接続されている。これにより、第３の内部電極４３は、第１の端子電極１１に電気的に接続されることとなる。引き出し部分４３ｂの幅（主電極部分４３ａの長辺方向での長さ、すなわち第１及び第２の端面４，５の対向方向での長さ）は、主電極部分４３ａの長辺の長さよりも小さい。第３の内部電極４３は、導電性ペーストの焼結体から構成される。
【００２５】
第４の内部電極４５は、主電極部分４５ａと、引き出し部分４５ｂとを含んでいる。主電極部分４５ａは、長方形状を呈しており、第１及び第２の主面２，３の長辺方向を長辺方向としている。引き出し部分４５ｂは、主電極部分４５ａの第２の端面５側の端部から第２の側面７に向けて伸びており、第２の側面７まで引き出されている。引き出し部分４５ｂは、第２の端子電極１３に電気的且つ物理的に接続されている。これにより、第４の内部電極４５は、第２の端子電極１３に電気的に接続されることとなる。引き出し部分４５ｂの幅（主電極部分４５ａの長辺方向での長さ、すなわち第１及び第２の端面４，５の対向方向での長さ）は、主電極部分４５ａの長辺の長さよりも小さい。第３の内部電極４３の主電極部分４３ａと第４の内部電極４５の主電極部分４５ａとは、絶縁体層２１を挟んで対向している。第４の内部電極４５は、導電性ペーストの焼結体から構成される。
【００２６】
第３の内部電極４３の主電極部分４３ａと第４の内部電極４５の主電極部分４５ａとは、絶縁体層２１を挟んで対向している。これにより、所定の容量成分が生じることとなる。本実施形態では、第１の内部電極３３の主電極部分３３ａと第４の内部電極４５の主電極部分４５ａとも絶縁体層２１を挟んで対向すると共に、第２の内部電極３５の主電極部分３５ａと第３の内部電極４３の主電極部分４３ａとも絶縁体層２１を挟んで対向している。これらによっても、所定の容量成分が生じることとなる。
【００２７】
以上のように、本実施形態によれば、第１〜第４の内部電極３３，３５，４３，４５のそれぞれが、主電極部分３３ａ，３５ａ，４３ａ，４５ａの端部からそれぞれ伸びる引き出し部分３３ｂ，３５ｂ，４３ｂ，４５ｂを含んでいるので、各内部電極３３，３５，４３，４５の電流経路上において該経路の幅が絞られる箇所が形成されることとなり、積層コンデンサＣのＥＳＲが増加する。
【００２８】
ところで、積層コンデンサＣでは、各内部電極３３，３５，４３，４５において、引き出し部分３３ｂ，３５ｂ，４３ｂ，４５ｂを通して主電極部分３３ａ，３５ａ，４３ａ，４５ａに電流が流れることとなり、ＥＳＬが増加することとなるが、以下の事象により、その増加を抑制することができる。
【００２９】
第１の内部電極３３の引き出し部分３３ｂが主電極部分３３ａの第１の端面４側の端部から伸び、第２の内部電極３５の引き出し部分３５ｂが主電極部分３５ａの第１の端面４側の端部から伸びているので、図４の（ａ）に示されるように、第１の内部電極３３の主電極部分３３ａと第２の内部電極３５の主電極部分３５ａとを電流が互いに逆向きに流れることとなる。この結果、第１の内部電極３３と第２の内部電極３５とにおいて、電流に起因して発生する磁界が相殺され、積層コンデンサＣのＥＳＬを低くすることができる。図４中の矢印は、第１の端子電極１１を陽極とすると共に第２の端子電極１３を陰極とした場合における電流の向きを表す。
【００３０】
また、第３の内部電極４３の引き出し部分４３ｂが主電極部分４３ａの第２の端面５側の端部から伸び、第４の内部電極４５の引き出し部分４５ｂが主電極部分４５ａの第２の端面５側の端部から伸びているので、図４の（ｂ）に示されるように、第３の内部電極４３の主電極部分４３ａと第４の内部電極４５の主電極部分４５ａとを電流が互いに逆向きに流れることとなる。この結果、第３の内部電極４３と第４の内部電極４５とにおいて、電流に起因して発生する磁界が相殺され、積層コンデンサＣのＥＳＬを低くすることができる。
【００３１】
更に、積層コンデンサＣ全体では、見かけ上、第１の端面４側に位置する引き出し部分３３ｂと第１の端子電極１１との接続箇所と第１の端面４側に位置する引き出し部分３５ｂと第２の端子電極１３との接続箇所との間に挿入されるインダクタ成分と、第２の端面５側に位置する引き出し部分４３ｂと第１の端子電極１１との接続箇所と第２の端面５側に位置する引き出し部分４５ｂと第２の端子電極１３との接続箇所との間に挿入されるインダクタ成分とが並列接続されることとなる。これによっても、積層コンデンサＣのＥＳＬを低くすることができる。
【００３２】
続いて、図５及び図６に基づいて、本実施形態の変形例について説明する。図５は、本実施形態の変形例に係る積層コンデンサに含まれるコンデンサ素体の分解斜視図である。図６は、本実施形態の変形例に係る積層コンデンサの断面構成を説明するための模式図である。
【００３３】
本実施形態の変形例に係る積層コンデンサは、その図示を省略するが、上述した積層コンデンサＣと同じく、コンデンサ素体１と、第１の端子電極１１と、第２の端子電極１３とを備える。コンデンサ素体１は、図５及び図６に示されるように、複数の絶縁体層２１と、複数の第１の内部電極対３１と、複数の第２の内部電極対４１と、複数の第３の内部電極対５１とを有している。第３の内部電極対５１は、コンデンサ素体１において、第１の内部電極対３１と第２の内部電極対４１との間に配置されている。
【００３４】
第３の内部電極対５１は、少なくとも一つの絶縁体層２１を挟んで対向するように配置される第５の内部電極５３と第６の内部電極５５とを含んでいる。
【００３５】
第５の内部電極５３は、主電極部分５３ａと、引き出し部分５３ｂとを含んでいる。主電極部分５３ａは、長方形状を呈しており、第１及び第２の主面２，３の長辺方向を長辺方向としている。引き出し部分５３ｂは、主電極部分５３ａの長辺方向の中央部から第１の側面６に向けて伸びており、第１の側面６まで引き出されている。引き出し部分５３ｂは、第１の端子電極１１に電気的且つ物理的に接続されている。これにより、第５の内部電極５３は、第１の端子電極１１に電気的に接続されることとなる。引き出し部分５３ｂの幅（主電極部分５３ａの長辺方向での長さ、すなわち第１及び第２の端面４，５の対向方向での長さ）は、主電極部分５３ａの長辺の長さよりも小さい。第５の内部電極５３は、導電性ペーストの焼結体から構成される。
【００３６】
第６の内部電極５５は、主電極部分５５ａと、引き出し部分５５ｂとを含んでいる。主電極部分５５ａは、長方形状を呈しており、第１及び第２の主面２，３の長辺方向を長辺方向としている。引き出し部分５５ｂは、主電極部分３５ａの長辺方向の中央部から第２の側面７に向けて伸びており、第２の側面７まで引き出されている。引き出し部分５５ｂは、第２の端子電極１３に電気的且つ物理的に接続されている。これにより、第２の内部電極５５は、第２の端子電極１３に電気的に接続されることとなる。引き出し部分５５ｂの幅（主電極部分５５ａの長辺方向での長さ、すなわち第１及び第２の端面４，５の対向方向での長さ）は、主電極部分５５ａの長辺の長さよりも小さい。第６の内部電極５５は、導電性ペーストの焼結体から構成される。
【００３７】
第５の内部電極５３の主電極部分５３ａと第６の内部電極５５の主電極部分５５ａとは、絶縁体層２１を挟んで対向している。これにより、所定の容量成分が生じることとなる。また、第２の内部電極３５の主電極部分３５ａと第５の内部電極５３の主電極部分５３ａとも絶縁体層２１を挟んで対向すると共に、第６の内部電極５５の主電極部分５５ａと第３の内部電極４３の主電極部分４３ａとも絶縁体層２１を挟んで対向している。これらによっても、所定の容量成分が生じることとなる。
【００３８】
以上のように、本実施形態の変形例においても、第１〜第６の内部電極３３，３５，４３，４５，５３，５５のそれぞれが、主電極部分３３ａ，３５ａ，４３ａ，４５ａ，５３ａ，５５ａの端部からそれぞれ伸びる引き出し部分３３ｂ，３５ｂ，４３ｂ，４５ｂ，５３ｂ，５５ｂを含んでいるので、各内部電極３３，３５，４３，４５，５３，５５の電流経路上において該経路の幅が絞られる箇所が形成されることとなり、積層コンデンサのＥＳＲが増加する。
【００３９】
また、変形例においては、上述した実施形態に加え、以下の事象により、積層コンデンサのＥＳＬの増加をより一層抑制することができる。
【００４０】
第５の内部電極５３の引き出し部分５３ｂが主電極部分３３ａの長辺方向の中央部から伸び、第６の内部電極５５の引き出し部分５５ｂが主電極部分５５ａの長辺方向の中央部から伸びているので、図７に示されるように、第５の内部電極５３主電極部分５３ａと第６の内部電極５５の主電極部分５５ａとを電流が互いに逆向きに流れることとなる。この結果、第５の内部電極５３と第６の内部電極５５とにおいて、電流に起因して発生する磁界が相殺され、積層コンデンサのＥＳＬを低くすることができる。図７中の矢印は、第１の端子電極１１を陽極とすると共に第２の端子電極１３を陰極とした場合における電流の向きを表す。
【００４１】
更に、積層コンデンサ全体では、見かけ上、第１の端面４側に位置する引き出し部分３３ｂと第１の端子電極１１との接続箇所と第１の端面４側に位置する引き出し部分３５ｂと第２の端子電極１３との接続箇所との間に挿入されるインダクタ成分と、第２の端面５側に位置する引き出し部分４３ｂと第１の端子電極１１との接続箇所と第２の端面５側に位置する引き出し部分４５ｂと第２の端子電極１３との接続箇所との間に挿入されるインダクタ成分と、主電極部分５３ａ，５５ａの長辺方向の中央部に位置する引き出し部分５３ｂと第１の端子電極１１との接続箇所と主電極部分５３ａ，５５ａの長辺方向の中央部に位置する引き出し部分５５ｂ第２の端子電極１３との接続箇所との間に挿入されるインダクタ成分とが並列接続されることとなる。この結果、積層コンデンサのＥＳＬをより一層低くすることができる。
【００４２】
以上、本発明の好適な実施形態について説明してきたが、本発明は必ずしも上述した実施形態に限定されるものではなく、その要旨を逸脱しない範囲で様々な変更が可能である。
【００４３】
例えば、絶縁体層２１及び各内部電極３３，３５，４３，４５，５３，５５の積層数は、図示されたものに限られない。
【００４４】
本実施形態において、第１の内部電極対３１と第２の内部電極対４１とは絶縁体層２１の積層方向に交互に配置されているが、第１の内部電極対３１と第２の内部電極対４１との位置はこれに限られない。例えば、複数の第１の内部電極対３１を絶縁体層２１の積層方向に連続して配置させると共に、第２の内部電極対４１を絶縁体層２１の積層方向に連続して配置させてもよい。上述した変形例においても、第１の内部電極対３１と第２の内部電極対４１と第３の内部電極対５１との位置は図示されたものに限られない。例えば、複数の第１の内部電極対３１、第２の内部電極対４１及び複数の第３の内部電極対５１をそれぞれ絶縁体層２１の積層方向に連続して配置させてもよい。
【図面の簡単な説明】
【００４５】
【図１】本実施形態に係る積層コンデンサの斜視図である。
【図２】本実施形態に係る積層コンデンサに含まれるコンデンサ素体の分解斜視図である。
【図３】本実施形態に係る積層コンデンサの断面構成を説明するための模式図である。
【図４】内部電極における電流の向きを説明するための模式図である。
【図５】本実施形態の変形例に係る積層コンデンサに含まれるコンデンサ素体の分解斜視図である。
【図６】本実施形態の変形例に係る積層コンデンサの断面構成を説明するための模式図である。
【図７】内部電極における電流の向きを説明するための模式図である。
【符号の説明】
【００４６】
１…コンデンサ素体、２…第１の主面、３…第２の主面、４…第１の端面、５…第２の端面、６…第１の側面、７…第２の側面、１１…第１の端子電極、１３…第２の端子電極、２１…絶縁体層、３１…第１の内部電極対、３３…第１の内部電極、３３ａ…主電極部分、３３ｂ…引き出し部分、３５…第２の内部電極、３５ａ…主電極部分、３５ｂ…引き出し部分、４１…第２の内部電極対、４３…第３の内部電極、４３ａ…主電極部分、４３ｂ…引き出し部分、４５…第４の内部電極、４５ａ…主電極部分、４５ｂ…引き出し部分、５１…第３の内部電極対、５３…第５の内部電極、５３ａ…主電極部分、５３ｂ…引き出し部分、５５…第６の内部電極、５５ａ…主電極部分、５５ｂ…引き出し部分、Ｃ…積層コンデンサ。
【図１】
2007317786.tif 000003
【図２】
2007317786.tif 000004
【図３】
2007317786.tif 000005
【図４】
2007317786.tif 000006
【図５】
2007317786.tif 000007
【図６】
2007317786.tif 000008
【図７】
2007317786.tif 000009